Podtech/llm-jp-corpus-v4-ja_patent huggingface dataset:
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
エンジン（１０１）により駆動されて交流発電可能な回転電機（１７）と、前記回転電機により発電された交流電圧を整流する整流回路（１３）と、前記整流回路からの直流電圧を出力する出力端子（Ｂ）と、を備える回転電機ユニット（１０）であって、
前記整流回路の高圧側接続点（Ｐ１）と低圧側接続点（Ｐ２）との間の電圧を検出する電圧検出部（４１）と、
前記高圧側接続点と前記出力端子とを接続する第１導電部材（１８）と、
前記低圧側接続点と接地部位としての前記エンジンとを接続する第２導電部材（６３、５３、５２、６９）と、
前記出力端子の電圧が目標発電電圧になるように、前記電圧検出部により検出される前記電圧と前記第１導電部材及び前記第２導電部材の電気抵抗とに基づいて、前記回転電機による発電電圧を制御する電圧制御部（１４）と、
を備え、
前記回転電機は、前記回転電機ユニットの外部から前記出力端子へ供給される電圧により駆動可能であり、
前記電圧制御部は、前記出力端子の電圧が目標供給電圧になるように、前記電圧検出部により検出される前記電圧と前記第１導電部材及び前記第２導電部材の電気抵抗とに基づいて、前記回転電機の駆動を制御することを特徴とする回転電機ユニット。
【請求項２】
前記電圧制御部は、前記電圧検出部により検出される前記電圧が、前記目標供給電圧から前記第１導電部材及び前記第２導電部材の電気抵抗による電圧低下分を引いた電圧となるように、前記回転電機の駆動を制御する請求項１に記載の回転電機ユニット。
【請求項３】
前記第２導電部材は、前記整流回路が取り付けられた放熱部材（６３）を含む請求項１又は２に記載の回転電機ユニット。
【請求項４】
前記第２導電部材は、前記回転電機を収容するハウジング（５３、５２）を含む請求項１〜３のいずれか１項に記載の回転電機ユニット。
【請求項５】
前記第２導電部材は、前記回転電機を収容するハウジングと前記エンジンとを連結する連結部材（６９）を含む請求項４に記載の回転電機ユニット。
【請求項６】
前記第１導電部材は、前記高圧側接続点と前記出力端子とを接続する配線（１８）である請求項１〜５のいずれか１項に記載の回転電機ユニット。
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
第１の表示部と、前記第１の表示部より消費電力が少ない第２の表示部が積層されてなる表示手段と、
前記表示手段の表示領域上に配設され、タッチ操作が可能なタッチパネルと、 
制御手段と、を備え、
前記制御手段は、
前記第１の表示部と第２の表示部の両方が消灯されている状態で、前記タッチ操作がなされた時は、前記第２の表示部を点灯させることを特徴とする表示装置。
【請求項２】
メインＣＰＵと、前記メインＣＰＵより消費電力が少ないサブＣＰＵを備え、前記メインＣＰＵが前記第１の表示部を表示させ、前記サブＣＰＵが前記第２の表示部を表示させるとともに、前記サブＣＰＵが前記第２の表示部を表示させているときは、前記メインＣＰＵをスリープ状態とする、請求項１記載の表示装置。
【請求項３】
メインＣＰＵと、前記メインＣＰＵより消費電力が少ないサブＣＰＵを備え、前記メインＣＰＵが前記第１の表示部を表示させ、前記サブＣＰＵが前記第２の表示部を表示させるとともに、前記サブＣＰＵが前記第２の表示部を表示させているときは、前記第１の表示部を停止させる、請求項１記載の表示装置。
【請求項４】
前記タッチパネルへのタッチ操作が所定時間以上無い場合は、前記第１の表示部と第２の表示部の両方を消灯する、請求項１記載の表示装置。
【請求項５】
第１の表示部と、前記第１の表示部より消費電力が少ない第２の表示部が積層されてなる表示手段と、前記表示手段の表示領域上に配設され、タッチ操作が可能なタッチパネルとを備えた表示装置のコンピュータが、前記第１の表示部と第２の表示部の両方が消灯されている状態で、前記タッチ操作がなされた時は、前記第２の表示部を点灯させることを特徴とする制御方法。
【請求項６】
第１の表示部と、前記第１の表示部より消費電力が少ない第２の表示部が積層されてなる表示手段と、前記表示手段の表示領域上に配設され、タッチ操作が可能なタッチパネルとを備えた表示装置のコンピュータを、前記第１の表示部と第２の表示部の両方が消灯されている状態で、前記タッチ操作がなされた時は、前記第２の表示部を点灯させるように機能させることを特徴とするプログラム。
【手続補正２】
【補正対象書類名】明細書
【補正対象項目名】００１０
【補正方法】変更
【補正の内容】
【００１０】
上記課題を解決するため、本発明による表示装置は、
第１の表示部と、前記第１の表示部より消費電力が少ない第２の表示部が積層されてなる表示手段と、
前記表示手段の表示領域上に配設され、タッチ操作が可能なタッチパネルと、 
制御手段と、を備え、
前記制御手段は、 
前記第１の表示部と第２の表示部の両方が消灯されている状態で、前記タッチ操作がなされた時は、前記第２の表示部を点灯させることを特徴としている。
【手続補正書】
【提出日】平成29年12月19日(2017.12.19)
【手続補正１】
【補正対象書類名】明細書
【補正対象項目名】００２５
【補正方法】変更
【補正の内容】
【００２５】
ステップＳ２０５では、作成部１０４２は選択カメラを動作させて、カラーチャートが印刷されたシートを撮像させて、選択カメラによるシートの撮像画像を取得する。選択カメラが撮像するシートの一例を図３（ａ）に示す。シートには、分光反射率分布が既知である色のパッチが配置されており、同列に配置されるパッチは同じ色名に対応している。例えば、左端の列のパッチは例えば明度および／または彩度が異なるが何れも色名「黒」に対応付けられているため、左端のパッチ列の直上には文字列「黒」が印刷されている。なお、色名を表す文字列の印刷位置はパッチ列の直上に限らない。また、文字列の代わりに、他のオブジェクトを用いても良く、その場合、該オブジェクトと色名との関係が既知である必要がある。図３（ａ）では、色名は以下の文献で示されているような１１色（黒、青、茶、灰、緑、オレンジ、ピンク、紫、赤、白、黄）に分類されるとする。
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
光を発生させる発光部を内部に有するガラス部材と、
前記ガラス部材の第１方向の一方の側に設けられる第１口金部材と、
前記ガラス部材の第１方向の他方の側に設けられる第２口金部材とを備える放電ランプにおいて、
前記第１口金部材は、前記第１方向に延びる軸部分と、前記軸部分の少なくとも前記ガラス部材側とは反対側の端部を覆うカバー部とを有し、
前記カバー部は、気体を流入させる流通孔を有し、前記流通孔から流入する気体を前記第１方向の前記他方の側に流す流路を形成するとともに、前記軸部分との間に、前記流路を流れた気体を排気する隙間を形成する、放電ランプ。
【請求項２】
請求項１に記載の放電ランプにおいて、
前記カバー部に接続され、前記流通孔を介して前記流路へ気体を供給する可撓性の配管を有する、放電ランプ。
【請求項３】
請求項１または請求項２に記載の放電ランプにおいて、
前記カバー部に接続され、前記カバー部を介して前記発光部に電力を供給する可撓性の電力線を有する、放電ランプ。
【請求項４】
請求項１から請求項３までのいずれか一項に記載の放電ランプにおいて、
前記流通孔は、前記気体が排気される前記隙間よりも、前記第１方向の前記一方の側にある、放電ランプ。
【請求項５】
請求項４に記載の放電ランプにおいて、
前記流路を流れた気体は、前記気体が前記軸部分の前記ガラス部材側の端部に達しないうちに前記カバー部の外に排気される、放電ランプ。
【請求項６】
請求項１から請求項５までのいずれか一項に記載の放電ランプにおいて、
前記軸部分の少なくとも一部に溝部が形成されている、放電ランプ。
【請求項７】
請求項１から請求項６までのいずれか一項に記載の放電ランプにおいて、
前記第２口金部材は、前記第１方向に延びる第２の軸部分と、前記第２の軸部分に隣接して配置され、前記第１方向と交差する第２方向に突出して形成され、前記第２方向における外形形状が前記軸部分よりも大きいフランジ部とを有する、放電ランプ。
【請求項８】
請求項７に記載の放電ランプにおいて、
前記フランジ部は、前記放電ランプの前記第１方向の位置を規定する、放電ランプ。
【請求項９】
光を発生させる発光部を内部に有するガラス部材と、
前記ガラス部材の第１方向の一方の側に設けられる第１口金部材と、
前記ガラス部材の第１方向の他方の側に設けられる第２口金部材とを備える放電ランプにおいて、
前記第１口金部材は、前記第１方向に延びる軸部分と、前記軸部分の少なくとも前記ガラス部材側とは反対側の端部を覆うカバー部とを有し、
前記カバー部は、気体を流入させる流通孔を有し、前記流通孔から流入する気体を前記第１方向の前記他方の側に流す流路を形成し、
前記第２口金部材は、前記第１方向に延びる第２軸部分と、前記第２軸部分に隣接して配置され、かつ前記第１方向と直交する第２方向に突出して形成され、前記第２方向における外形形状が前記第２軸部分よりも大きいフランジ部とを有する、放電ランプ。
【請求項１０】
請求項９に記載の放電ランプにおいて、
前記第１口金部材は、前記流通孔よりも前記ガラス部材側に、前記流路と連通する排気部を有する、放電ランプ。
【請求項１１】
請求項１０に記載の放電ランプにおいて、
前記流路は、前記気体が前記軸部分の前記ガラス部材側の端部に達しないうちに前記排気部から排気される、放電ランプ。
【請求項１２】
請求項１０または請求項１１に記載の放電ランプにおいて、
前記排気部は、前記軸部分と前記カバー部の間の隙間である、放電ランプ。
【請求項１３】
請求項９から請求項１２までのいずれか一項に記載の放電ランプにおいて、
前記第１口金部材に接続され、前記流通孔を介して前記流路へ気体を供給する可撓性の配管を有する、放電ランプ。
【請求項１４】
請求項９から請求項１３までのいずれか一項に記載の放電ランプにおいて、
前記第１口金部材に接続され、前記第１口金部材を介して前記発光部に電力を供給する可撓性の電力線を有する放電ランプ。
【請求項１５】
請求項９から請求項１４までのいずれか一項に記載の放電ランプにおいて、
前記第１口金部材の少なくとも一部に、溝部が形成されている、放電ランプ。
【請求項１６】
請求項９から請求項１５までのいずれか一項に記載の放電ランプにおいて、
前記フランジ部は、前記放電ランプの前記第１方向の位置を規定する、放電ランプ。
【手続補正２】
【補正対象書類名】明細書
【補正対象項目名】発明の名称
【補正方法】変更
【補正の内容】
【発明の名称】放電ランプ
【手続補正３】
【補正対象書類名】明細書
【補正対象項目名】０００１
【補正方法】変更
【補正の内容】
【０００１】
本発明は、放電ランプに関する。
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
駐車場の駐車スペースに存在する移動体が当該駐車スペースから予め設定した時間以降に出庫することを示す出庫情報を取得する取得部と、
前記出庫情報を出力する出力部とを具備する駐車情報処理装置。
【請求項２】
前記駐車場は、有料の駐車場であり、
前記取得部は、料金精算を事前に行える事前精算機において料金精算が行われたことに関する事前精算情報に基づいて、前記出庫情報を取得する請求項１記載の駐車情報処理装置。
【請求項３】
前記出力部は、予め格納された通知先情報が示す通知先に前記出庫情報を送信する請求項１または請求項２記載の駐車情報処理装置。
【請求項４】
前記通知先は、少なくともナビゲーション部を有する通信端末であり、
前記ナビゲーション部は、
前記出庫情報に基づいて、空きが出る空き駐車場または空き駐車スペースに関する空き情報を出力するナビ出力部と、
前記ナビ出力部の出力に対応して、前記空き駐車場または前記空き駐車スペースを目的地に設定するナビ設定部と、を具備する請求項３記載の駐車情報処理装置。
【請求項５】
前記取得部は、前記駐車スペースに移動体が存在するか否かを示す有無情報をさらに取得し、
前記出力部は、前記有無情報と前記出庫情報とを出力する請求項１から請求項４いずれか一項に記載の駐車情報処理装置。
【請求項６】
前記駐車スペースを識別するスペース識別子と、当該駐車スペースでの駐車時間に関する駐車時間情報とを有する予約情報を受け付ける受付部と、
前記予約情報を格納する格納部とをさらに具備する請求項１から請求項５いずれか一項に記載の駐車情報処理装置。
【請求項７】
前記出庫情報に基づく移動体の出庫と入庫の誘導を行うための誘導情報を作成する誘導部と、
前記誘導部による前記誘導情報に基づき、駐車場内での移動体の走行支援情報を移動体に送るための制御を行う制御部と、
前記制御部の走行支援情報を移動体に送信する送信部とをさらに具備する請求項１から請求項６いずれか一項に記載の駐車情報処理装置。
【請求項８】
取得部および出力部によって行われる駐車情報処理方法であって、
前記取得部が、駐車場の駐車スペースに存在する移動体が当該駐車スペースから予め設定した時間以降に出庫することを示す出庫情報を取得する取得ステップと、
前記出力部が、前記出庫情報を出力する出力ステップとを含む駐車情報処理方法。
【請求項９】
コンピュータを、
駐車場の駐車スペースに存在する移動体が当該駐車スペースから予め設定した時間以降に出庫することを示す出庫情報を取得する取得部と、
前記出庫情報を出力する出力部として機能させるためのプログラム。
【手続補正２】
【補正対象書類名】明細書
【補正対象項目名】００１３
【補正方法】変更
【補正の内容】
【００１３】
また、上記構成において、前記通知先は、少なくともナビゲーション部を有する通信端末であり、前記ナビゲーション部は、前記出庫情報に基づいて、空きが出る空き駐車場または空き駐車スペースに関する空き情報を出力するナビ出力部と、前記ナビ出力部の出力に対応して、前記空き駐車場または前記空き駐車スペースを目的地に設定するナビ設定部と、を具備していてもよい。
【手続補正３】
【補正対象書類名】明細書
【補正対象項目名】００１５
【補正方法】変更
【補正の内容】
【００１５】
また、上記構成において、前記取得部は、前記駐車スペースに移動体が存在するか否かを示す有無情報をさらに取得し、前記出力部は、前記有無情報と前記出庫情報とを出力してもよい。
【手続補正４】
【補正対象書類名】明細書
【補正対象項目名】００１７
【補正方法】変更
【補正の内容】
【００１７】
また、上記構成において、前記駐車スペースを識別するスペース識別子と、当該駐車スペースでの駐車時間に関する駐車時間情報とを有する予約情報を受け付ける受付部と、前記予約情報を格納する格納部とをさらに具備していてもよい。
【手続補正５】
【補正対象書類名】明細書
【補正対象項目名】００１９
【補正方法】変更
【補正の内容】
【００１９】
また、上記構成において、前記出庫情報に基づく移動体の出庫と入庫（出入庫）の誘導を行うための誘導情報を作成する誘導部と、前記誘導部による前記誘導情報に基づき、駐車場内での移動体の走行支援情報を移動体に送るための制御を行う制御部と、前記制御部の走行支援情報を移動体に送信する送信部とをさらに具備していてもよい。
【手続補正６】
【補正対象書類名】明細書
【補正対象項目名】００２１
【補正方法】変更
【補正の内容】
【００２１】
なお、上述した出庫情報、事前精算情報、有無情報、予約情報といった、駐車場の管理に関する情報を、“駐車場の管理情報”と記す場合がある。
【手続補正７】
【補正対象書類名】明細書
【補正対象項目名】００７１
【補正方法】変更
【補正の内容】
【００７１】
（ステップＳ３０４）処理部１３は、受付部１２が事前精算情報を受信したか否かを判別する。受付部１２が事前精算情報を受信したと判別された場合はステップＳ３０５に進み、受信していないと判別された場合はステップＳ３０９に進む。
【手続補正８】
【補正対象書類名】明細書
【補正対象項目名】０１５０
【補正方法】変更
【補正の内容】
【０１５０】
なお、上述した出庫情報、精算情報、事前精算情報、有無情報、予約情報といった、駐車場の管理に関する情報を、“駐車場の管理情報”と記す場合がある。駐車場の管理情報は、駐車場の管理に関する情報であればよく、その種類は問わない。
【手続補正９】
【補正対象書類名】図面
【補正対象項目名】図１
【補正方法】変更
【補正の内容】
【図１】
2017204022.tif 000001
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
正極活物質層、固体電解質層、及び負極活物質層をこの順に有する電池要素の正極活物質層又は負極活物質層である活物質層の表面に、該活物質層が前記固体電解質層との界面で剥離を生ずる強度のレーザーを照射して前記活物質層と前記固体電解質層との界面で剥離を生じさせる工程と、
前記剥離が生した活物質層を除去する工程と
を含むことを特徴とする、固体電池の製造方法。
【請求項２】
前記レーザー照射の際のエネルギー強度が、３６０ｍＪ／ｍｍ２以上５７０ｍＪ／ｍｍ２以下である、請求項１に記載の方法。
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
少なくとも第１の電極の集電体、第１の電極の活物質層、固体電解質層、前記第１の電極の対極である第２の電極の活物質層、第２の電極の集電体、第２の電極の活物質層、固体電解質層、及び第１の電極の活物質層がこの順に積層された電池ユニットの２つ以上が積層されて成り、
上記電池ユニットの第１の電極の集電体と、該集電体に隣接して積層された電池ユニットとを接着するための接着手段を有することを特徴とする、全固体電池。
【請求項２】
前記接着手段が、塗布時の粘度が１，８００ｍＰａ・ｓ以下の熱可塑性樹脂であり、かつ前記熱可塑性樹脂の塗布量が、０．１μＬ／ｃｍ２以下である、請求項１に記載の全固体電池。
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
ユーザ識別子毎に、Ｗｅｂを介して提供されるＷｅｂサービスの利用履歴情報を蓄積した記憶手段から、ユーザの信用度を示す情報として、該ユーザの利用履歴情報を抽出する抽出手段を有し、
前記Ｗｅｂサービスは、Ｗｅｂサイトの閲覧又は検索サービスを含むことを特徴とする信用情報抽出装置。
【請求項２】
前記ユーザ識別子は、前記Ｗｅｂサイトの閲覧又は前記検索サービスの利用時に前記ユーザの端末に用いられる識別子であることを特徴とする請求項１に記載の信用情報抽出装置。
【請求項３】
前記記憶手段は、ユーザ識別子毎に、ユーザ登録情報を蓄積し、
前記抽出手段は、前記記憶手段から、該ユーザのユーザ登録情報を抽出すること、
を特徴とする請求項１又は２に記載の信用情報抽出装置。
【請求項４】
前記ユーザ識別子は、
少なくとも、ユーザＩＤ又はメールアドレスの何れかを含むこと、
を特徴とする請求項１ないし３何れか一項記載の信用情報抽出装置。
【請求項５】
前記利用履歴情報は、
少なくとも、検索サービス利用履歴、カードサービス利用履歴、ファイナンスサービス利用履歴、求人サービス利用履歴、オークションサービス利用履歴、公共料金支払サービス利用履歴、メールサービス利用履歴の何れかを含むこと、
を特徴とする請求項１ないし４何れか一項記載の信用情報抽出装置。
【請求項６】
前記利用履歴情報に応じて、該利用履歴情報の信用スコアを算出する算出手段を有すること、
を特徴とする請求項１ないし５何れか一項記載の信用情報抽出装置。
【請求項７】
利用履歴情報の表示レイアウトを、所定のルールに従って、レイアウトするレイアウト手段を有すること、
を特徴とする請求項１ないし６何れか一項記載の信用情報抽出装置。
【請求項８】
複数の利用履歴情報のうち、該複数の利用履歴情報それぞれ毎の評価基準に応じて、前記抽出手段により抽出された利用履歴情報を選別する選別手段を有すること、
を特徴とする請求項１ないし７何れか一項記載の信用情報抽出装置。
【請求項９】
前記選別手段は、前記抽出手段により抽出された利用履歴情報のうち、取得済みの信用情報と重複する利用履歴情報を選別する、又は、前記取得済みの信用情報と重複しない利用履歴情報を選別すること、
を特徴とする請求項８記載の信用情報抽出装置。
【請求項１０】
信用情報抽出装置が、
ユーザ識別子毎に、Ｗｅｂを介して提供されるＷｅｂサービスの利用履歴情報を蓄積した記憶手段から、ユーザの信用度を示す情報として、該ユーザの利用履歴情報を抽出する抽出手順を実行し、
前記Ｗｅｂサービスは、Ｗｅｂサイトの閲覧又は検索サービスを含むことを特徴とする信用情報抽出方法。
【手続補正２】
【補正対象書類名】明細書
【補正対象項目名】００１２
【補正方法】変更
【補正の内容】
【００１２】
上記の課題を解決するため、本発明に係る信用情報抽出装置は、ユーザ識別子毎に、Ｗｅｂを介して提供されるＷｅｂサービスの利用履歴情報を蓄積した記憶手段から、ユーザの信用度を示す情報として、該ユーザの利用履歴情報を抽出する抽出手段を有し、前記Ｗｅｂサービスは、Ｗｅｂサイトの閲覧又は検索サービスを含むことを特徴とする。
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
生物由来ポリマー及びワックスを含むトナー粒子であって、
前記生物由来ポリマーが、（ａ）ロジンジオールと、（ｂ）ネオペンチルグリコールと、（ｃ）コハク酸と、（ｄ）芳香族ジカルボン酸と、（ｅ）ジプロピレングリコール又はトリプロピレングリコールとを含み、
前記ロジンジオールが、ロジン酸と環状アルキレングリコールの反応生成物であって、１つのロジン部分のみを含む、
トナー粒子。
【請求項２】
表面添加剤を更に有する、請求項１に記載のトナー粒子。
【請求項３】
前記ロジンジオールが、アビエチン−ジオール、パルストリン−ジオール、デヒドロアビエチン−ジオール、ｎｅｏ−アビエチン−ジオール、ｌｅｖｏ−ピマル−ジオール、ピマル−ジオール、サンダラコピマル−ジオール、ｉｓｏ−ピマル−ジオール、水素化アビエチン−ジオール、水素化パルストリン−ジオール、水素化デヒドロアビエチン−ジオール、水素化ｎｅｏ−アビエチン−ジオール、水素化ｌｅｖｏ−ピマル−ジオール、水素化ピマル−ジオール、水素化サンダラコピマル−ジオールおよび水素化ｉｓｏ−ピマル−ジオールからなる群から選択される、請求項１に記載のトナー粒子。
【請求項４】
前記生物由来ポリマーの軟化点Ｔｓが少なくとも１１０℃である、請求項１に記載のトナー粒子。
【請求項５】
前記芳香族ジカルボン酸が、フタル酸、イソフタル酸およびテレフタル酸からなる群から選択される、請求項１に記載のトナー粒子。
【請求項６】
前記トナー粒子が凝集粒子及びシェルを有する、請求項１に記載のトナー粒子。
【請求項７】
前記シェルが前記トナー粒子の１質量％〜８０質量％の量で含まれる、請求項６に記載のトナー粒子。
【請求項８】
前記生物由来ポリマーが少なくとも１０の酸価を有する、請求項１に記載のトナー粒子。
【請求項９】
前記生物由来ポリマーのガラス転移温度Ｔｇが少なくとも４０℃である、請求項１に記載のトナー粒子。
【請求項１０】
滑沢剤を含む、請求項１に記載のトナー粒子。
【請求項１１】
電荷添加剤を含む、請求項１に記載のトナー粒子。
【請求項１２】
追加の樹脂を含む、請求項１に記載のトナー粒子。
【請求項１３】
前記追加の樹脂がアモルファスポリエステル樹脂を含む、請求項１２に記載のトナー粒子。
【請求項１４】
前記追加の樹脂がアモルファスポリエステル樹脂及び結晶性樹脂を含む、請求項１２に記載のトナー粒子。
【請求項１５】
前記追加の樹脂が結晶性樹脂を含む、請求項１２に記載のトナー粒子。
【請求項１６】
着色剤を含む、請求項１に記載のトナー粒子。
【請求項１７】
乳化／凝集トナーである、請求項１に記載のトナー粒子。
【請求項１８】
請求項１に記載のトナー粒子を含む、現像剤。
【請求項１９】
担体を含む、請求項１８に記載の現像剤。
【手続補正２】
【補正対象書類名】明細書
【補正対象項目名】発明の名称
【補正方法】変更
【補正の内容】
【発明の名称】トナー粒子および現像剤
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
機器の動作状態を表示する発光表示部であって、前記機器の本体ハウジング内に内装した光源の発光を前記本体ハウジング外に導光する導光レンズを備え、
前記導光レンズは、前記本体ハウジングに設けた挿通ボス部を貫通して当該本体ハウジングの内部に至る導光部と、前記本体ハウジングの外部において該導光部から側方へ張り出す表示部を有し、該表示部と前記挿通ボス部を凹凸嵌合させて該表示部から前記挿通ボス部の内部への浸水経路が少なくとも２箇所で遮蔽された構成とした発光表示部。
【請求項２】
請求項１記載の発光表示部であって、前記挿通ボス部の端面を前記表示部の端面に当接させた発光表示部。
【請求項３】
請求項１又は２記載の発光表示部であって、前記導光レンズの導光部に前記挿通ボス部に対する圧入代を持たせるための圧入凸部を設けた発光表示部。
【請求項４】
請求項１又は２記載の発光表示部であって、前記導光レンズの導光部若しくは前記挿通ボス部の挿通孔の少なくとも一方に防水凸部を全周にわたって設けた発光表示部。
【請求項５】
請求項４記載の発光表示部であって、前記挿通ボス部の挿通孔の内周面に前記防水凸部を全周にわたって設けた発光表示部。
【請求項６】
請求項１〜５の何れか１項に記載した発光表示部であって、前記表示部に、前記導光部の延びる方向に直交する押圧面を設けた発光表示部。
【請求項７】
請求項１〜６の何れか１項に記載した発光表示部であって、前記導光レンズは相互に平行に隣接する２本の導光部を備え、該２本の導光部に対応して前記挿通ボス部を２つ設けた発光表示部。
【請求項８】
電動工具の電源として用いるバッテリを充電するための充電器であって、請求項１〜７の何れか１項に記載した発光表示部を備えた充電器。
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
シャーベット氷を解凍媒体として使用した凍結食品解凍法。
【請求項２】
前記シャーベット氷が、塩分を含む水から生成したシャーベット氷である請求項１記載の凍結食品解凍法。
【請求項３】
前記シャーベット氷の塩分濃度を調整することにより、シャーベット氷を凍結食品の氷結温度とほぼ同じ温度に調整し、該シャーベット氷が入れられた解凍容器に凍結食品を浸漬することにより解凍を行う請求項２記載の凍結食品解凍法。
【請求項４】
前記シャーベット氷の氷濃度が２０%以上である請求項１〜３の何れかに記載の凍結食品解凍方法。
【手続補正２】
【補正対象書類名】明細書
【補正対象項目名】０００５
【補正方法】変更
【補正の内容】
【０００５】
水に砕氷を投入した氷水は、当初氷に接触した部分は０℃になるが接触しない大部分はそれより高い温度を示す。これは氷の粒が大きく水との接触面積が小さいために熱交換が迅速に行われないことに起因する。上層は時間とともに０℃に近づくが下層には氷そのものがないか少ないために水温は高い温度（例えば４℃）を示す。このような氷水に凍結食品を浸漬した場合上層部では良好な解凍ができるが下層では水温が高いために解凍が早く、ドリップが多く、細菌繁殖の多い等品質の悪い解凍にしかならない。
【手続補正３】
【補正対象書類名】明細書
【補正対象項目名】０００７
【補正方法】変更
【補正の内容】
【０００７】
本発明では上記課題を解決するために、凍結食品の解凍に水氷に代えてシャーベット氷（微細流動氷とも言う）を解凍媒体として使う方法を提案するものである。シャーベット氷は別途シャーベット氷製氷機で製造した冷凍食品の氷結温度に近い温度（例：−１〜−２℃）を有し、氷濃度３５％程度のものを解凍容器に入れて凍結食品を解凍するものである。
すなわち、本発明によれば、シャーベット氷を解凍媒体として使用した凍結食品解凍法が提供される。
本発明の凍結食品解凍法においては、
１．前記シャーベット氷が、塩分を含む水から生成したシャーベット氷であること、
２．前記シャーベット氷の塩分濃度を調整することにより、シャーベット氷を凍結食品の氷結温度とほぼ同じ温度に調整し、該シャーベット氷が入れられた解凍容器に凍結食品を浸漬することにより解凍を行うこと、
３．前記シャーベット氷の氷濃度が２０%以上であること、
が好適である。
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
大気圧プラズマジェットを生成する工程と、
前記大気圧プラズマジェットをジャガイモの目に照射する工程と、
を有することを特徴とするジャガイモの萌芽を抑制する方法。
【請求項２】
前記大気圧プラズマジェットを生成する工程では、希ガス、又は、希ガスを含む混合ガスをプラズマ原料ガスとして用いて前記大気圧プラズマジェットを生成することを特徴とする、請求項１に記載の方法。
【請求項３】
前記大気圧プラズマジェットを生成する工程では、ヘリウムガスを含むガスをプラズマ原料ガスとして用いて前記大気圧プラズマジェットを生成することを特徴とする、請求項１又は２に記載の方法。
【請求項４】
前記大気圧プラズマジェットを生成する工程では、ヘリウムガスと窒素ガスとの混合ガスをプラズマ原料ガスとして用いて前記大気圧プラズマジェットを生成することを特徴とする、請求項１〜３のいずれか一項に記載の方法。
【請求項５】
前記大気圧プラズマジェットをジャガイモの目に照射する前記工程では、前記ジャガイモの前記目に前記大気圧プラズマジェットを照射する時間は、５秒以上、１２０秒以下であることを特徴とする請求項１〜４のいずれか一項に記載の方法。
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
利用者の生体信号を検出する検出部と、
生体信号の異常判定に用いる第１基準と、前記利用者ごとの生体信号を保持可能な記憶部と、
第１利用者の生体信号が所望の数だけ前記記憶部に蓄積されたとき、機械学習を用いて、前記第１基準を調整した第２基準を算出し、前記第１利用者の生体信号と前記第２基準に基づいて、前記第１利用者の異常を判定し、第２利用者の生体信号が所望の数だけ前記記憶装置に蓄積されていないとき、前記第２利用者の生体信号と前記第１基準に基づいて、前記第２利用者の異常を判定する制御部と、
を備える見守りシステム。
【請求項２】
前記検出部は、前記利用者の下に敷かれるシート状の袋と、前記袋内に設置された圧電センサとを含み、前記袋内の空気圧力の変動を前記圧電センサが検出することを特徴とする請求項１に記載の見守りシステム。
【請求項３】
前記検出部は、前記利用者が利用するベッドに設けられる荷重センサを含み、利用者のベッドからの在床又は離床を検出できることを特徴とする請求項１又は２に記載の見守りシステム。
【請求項４】
前記検出部は、第１のセンサと、第２のセンサを含み、
前記記憶部は、前記第１センサで取得した前記第１利用者の生体信号を保持し、
前記制御部は、前記第１センサで取得した前記第１利用者の生体信号に基づいて前記第２基準を算出し、
前記制御部は、前記第２のセンサで取得した前記第１利用者の生体信号と、前記第２基準に基づいて第１利用者の異常を判定する請求項１乃至３のいずれか1項に記載の見守りシステム。
【請求項５】
前記制御部は、異常と判定したときに、外部に通知することを特徴とする請求項１４のいずれか1項に記載の見守りシステム。
【手続補正２】
【補正対象書類名】明細書
【補正対象項目名】発明の名称
【補正方法】変更
【補正の内容】
【発明の名称】見守りシステム
【手続補正３】
【補正対象書類名】明細書
【補正対象項目名】０００７
【補正方法】変更
【補正の内容】
【０００７】
本発明に係る見守りシステムは、
利用者の生体信号を検出する検出部と、
生体信号の異常判定に用いる第１基準と、前記利用者ごとの生体信号を保持可能な記憶部と、
第１利用者の生体信号が所望の数だけ前記記憶部に蓄積されたとき、機械学習を用いて、前記第１基準を調整した第２基準を算出し、前記第１利用者の生体信号と前記第２基準に基づいて、前記第１利用者の異常を判定し、第２利用者の生体信号が所望の数だけ前記記憶装置に蓄積されていないとき、前記第２利用者の生体信号と前記第１基準に基づいて、前記第２利用者の異常を判定する制御部と、
を備える。
【手続補正４】
【補正対象書類名】明細書
【補正対象項目名】０００８
【補正方法】変更
【補正の内容】
【０００８】
この見守りシステムにおいて、
例えば、
前記検出部は、前記利用者の下に敷かれるシート状の袋と、前記袋内に設置された圧電センサとを含み、前記袋内の空気圧力の変動を前記圧電センサが検出する。
【手続補正５】
【補正対象書類名】明細書
【補正対象項目名】０００９
【補正方法】変更
【補正の内容】
【０００９】
また、この見守りシステムにおいて、
例えば、
前記検出部は、前記利用者が利用するベッドに設けられる荷重センサを含み、利用者のベッドからの在床又は離床を検出できる。
【手続補正６】
【補正対象書類名】明細書
【補正対象項目名】００１０
【補正方法】変更
【補正の内容】
【００１０】
更に、本発明においては、
前記検出部は、第１のセンサと、第２のセンサを含み、
前記記憶部は、前記第１センサで取得した前記第１利用者の生体信号を保持し、
前記制御部は、前記第１センサで取得した前記第１利用者の生体信号に基づいて前記第２基準を算出し、
前記制御部は、前記第２のセンサで取得した前記第１利用者の生体信号と、前記第２基準に基づいて第１利用者の異常を判定することができる。
【手続補正７】
【補正対象書類名】明細書
【補正対象項目名】００１１
【補正方法】変更
【補正の内容】
【００１１】
更にまた、前記制御部は、異常と判定したときに、外部に通知することができる。
【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
半導体装置の製造方法であって、
パッド電極の上に有機膜を形成する工程と、
前記有機膜の上に無機膜を形成する工程と、
前記無機膜の上に、前記半導体装置のパッド電極に通じる開口を形成するためのレジストパターンを形成する工程と、
前記レジストパターンをマスクとして、前記無機膜をプラズマドライエッチングする工程と、
前記レジストパターンをマスクとして、前記パッド電極を露出しないように前記有機膜をプラズマドライエッチングする工程と、
前記レジストパターンを剥離液で除去する工程と、
前記レジストパターンを剥離液で除去する工程の後に、前記無機膜をプラズマドライエッチングする工程後に残存する前記無機膜をマスクとして、前記パッド電極を露出するように前記有機膜をエッチングする工程と、を有することを特徴とする半導体装置の製造方法。
【請求項２】
前記レジストパターンをマスクとして、前記無機膜をプラズマドライエッチングする工程は、ＣＦ系のガスを含む雰囲気で行われることを特徴とする、請求項１に記載の半導体装置の製造方法。
【請求項３】
前記パッド電極を露出しないように前記有機膜の一部をプラズマドライエッチングする工程は、Ｏ２またはＮ２のガスを含む雰囲気で行われることを特徴とする請求項１または２に記載の半導体装置の製造方法。
【請求項４】
前記パッド電極を露出するように前記有機膜をエッチングする工程は、プラズマドライエッチングまたはウエットエッチングで行うことを特徴とする請求項１から３のいずれかに記載の半導体装置の製造方法。
【請求項５】
前記パッド電極を露出しないように前記有機膜の一部をプラズマドライエッチングする工程の後に残存している前記有機膜の膜厚は２００ｎｍ以上５００ｎｍ以下であることを特徴とする、請求項１から４のいずれかに記載の半導体装置の製造方法。
【請求項６】
前記有機膜は、前記パッド電極の上に形成される平坦化膜を含むことを特徴とする請求項１から５のいずれかに記載の半導体装置の製造方法。
【請求項７】
前記半導体装置は、撮像装置であって、
前記撮像装置は、カラーフィルタを有し、
前記有機膜は、前記カラーフィルタの上に形成される平坦化膜を含むことを特徴とする請求項１から６のいずれかに記載の半導体装置の製造方法。
【請求項８】
前記有機膜は、前記カラーフィルタの材料からなる膜を含むことを特徴とする請求項７に記載の半導体装置の製造方法。
【請求項９】
前記撮像装置は、前記カラーフィルタの上にマイクロレンズを有し、
前記有機膜は、前記マイクロレンズの材料からなる膜を含むことを特徴とする請求項７または８に記載の半導体装置の製造方法。
【請求項１０】
前記撮像装置は、前記カラーフィルタの上にマイクロレンズを有し、
前記無機膜は、前記マイクロレンズの上に形成された反射防止膜であることを特徴とする請求項７から９のいずれかに記載の半導体装置の製造方法。
【請求項１１】
前記半導体装置は、ＭＯＳトランジスタを有する撮像装置であって、該ＭＯＳトランジスタが有するゲート絶縁膜の膜厚は４．５ｎｍ以下であることを特徴とする、請求項１から１０のいずれかに記載の半導体装置の製造方法。
【手続補正書】
【提出日】平成30年2月8日(2018.2.8)
【手続補正１】
【補正対象書類名】明細書
【補正対象項目名】００６６
【補正方法】変更
【補正の内容】
【００６６】
［色空間変換処理Ｓ５］
有効画素判定処理Ｓ４が完了すると、次にトーン強調画像データＥに対して色空間変換部２２３により色空間変換処理Ｓ５が行われる。色空間変換処理Ｓ５は、ＲＧＢ３原色で定義されるＲＧＢ空間の画素値を、色相（Hue）・彩度（Saturation）・輝度（Intensity）の３要素で定義されるＨＳＩ（Hue-Saturation-Intensity）空間の画素値に変換する処理である。具体的には、色空間変換処理Ｓ５において、トーン強調画像データＥの各画素（ｘ，ｙ）の原色信号Ｒ´（ｘ，ｙ），Ｇ´（ｘ，ｙ），Ｂ´（ｘ，ｙ）が、色相Ｈ（ｘ，ｙ），彩度Ｓ（ｘ，ｙ），輝度Ｉ（ｘ，ｙ）に変換される。
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
眼科用レーザ治療装置であって、
患者眼にエイミング光を照射するためのエイミング光学系と、
患者眼に治療用のレーザ光を照射するためのレーザ照射光学系と、
前記エイミング光のフォーカス位置に対する、前記レーザ光のフォーカス位置であるフォーカスシフト位置を、遠方または近方にシフトするシフト手段と、
複数の治療モードからいずれかを選択する指示を受け付ける選択受付手段と、
前記眼科用レーザ治療装置の動作を制御する制御手段と、
を備え、
前記制御手段は、前記シフトに関するパラメータを含む、前記レーザ光の照射に関するパラメータの値を、前記選択受付手段により選択された治療モードに応じて設定する、
ことを特徴とする眼科用レーザ治療装置。
【請求項２】
請求項１に記載の眼科用レーザ治療装置であって、
前記シフトに関するパラメータには、前記フォーカスシフト位置の調節範囲が含まれ、
前記制御手段は、前記選択受付手段により選択された治療モードに応じて、前記フォーカスシフト位置の前記調節範囲を設定する、
ことを特徴とする眼科用レーザ治療装置。
【請求項３】
請求項２に記載の眼科用レーザ治療装置であって、
前記制御手段は、前記選択受付手段で後発白内障治療モードが選択された場合には、前記フォーカスシフト位置の前記調節範囲を、前記エイミング光のフォーカス位置よりも遠方の範囲内に設定することを特徴とする眼科用レーザ治療装置。
【請求項４】
請求項３に記載の眼科用レーザ治療装置であって、
前記制御手段は、虹彩切開術、レーザ線維柱帯切開術、またはレーザ硝子体切除術のいずれかを実行する治療モードが前記選択受付手段で選択された場合には、前記フォーカスシフト位置の前記調節範囲を、後発白内障治療モードが選択された場合に設定された前記調節範囲よりも近方の範囲内に設定する、
ことを特徴とする眼科用レーザ治療装置。
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、遊技者が操作可能な操作装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、遊技者が遊技媒体を前方から取り出せる領域となる第１下皿部と、前記第１下皿部から前記内部空間内の前記操作装置側に窪むように前記第１下皿部と一体的に設けられた第２下皿部と、を有するものであり、
さらに、前記第２下皿部の上方を覆うカバー部が設けられ,
前記カバー部は、前記下皿における遊技媒体貯留領域の外側に形成されたカバー取付部に取り付けられる
ことを特徴とする遊技機。
【請求項２】
所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、所定の演出効果を奏する演出装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、遊技者が遊技媒体を前方から取り出せる領域となる第１下皿部と、前記第１下皿部から前記内部空間内の前記演出装置側に窪むように前記第１下皿部と一体的に設けられた第２下皿部と、を有するものであり、
さらに、前記第２下皿部の上方を覆うカバー部が設けられ,
前記カバー部は、前記下皿における遊技媒体貯留領域の外側に形成されたカバー取付部に取り付けられる
ことを特徴とする遊技機。
【手続補正２】
【補正対象書類名】明細書
【補正対象項目名】０００３
【補正方法】変更
【補正の内容】
【０００３】
この種の遊技機として、正面視における遊技領域の下方に、遊技領域内に打込むための遊技媒体が貯留される上皿と、上皿の下側に配置され上皿から溢れた遊技媒体が貯留される下皿とを備えているものが一般である（例えば、特許文献１）。
【手続補正３】
【補正対象書類名】明細書
【補正対象項目名】０００４
【補正方法】変更
【補正の内容】
【０００４】
しかしながら、従来の遊技機では、正面視において遊技領域の下方に上皿と下皿とが単に並んでいるだけであるため、同じような遊技機に見えてしまい、遊技者に対する訴求力が低い問題があった。
【手続補正４】
【補正対象書類名】明細書
【補正対象項目名】０００５
【補正方法】変更
【補正の内容】
【０００５】
【特許文献１】特開２００９−２８３９０号公報
【手続補正５】
【補正対象書類名】明細書
【補正対象項目名】０００６
【補正方法】変更
【補正の内容】
【０００６】
そこで、本発明は、上記の実情に鑑み、遊技者に対する訴求力の高い遊技機の提供を課題とする。
【手続補正６】
【補正対象書類名】明細書
【補正対象項目名】０００７
【補正方法】変更
【補正の内容】
【０００７】
本発明は、
所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、遊技者が操作可能な操作装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、遊技者が遊技媒体を前方から取り出せる領域となる第１下皿部と、前記第１下皿部から前記内部空間内の前記操作装置側に窪むように前記第１下皿部と一体的に設けられた第２下皿部と、を有するものであり、
さらに、前記第２下皿部の上方を覆うカバー部が設けられ,
前記カバー部は、前記下皿における遊技媒体貯留領域の外側に形成されたカバー取付部に取り付けられる
ことを特徴とする。
また、所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、所定の演出効果を奏する演出装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、遊技者が遊技媒体を前方から取り出せる領域となる第１下皿部と、前記第１下皿部から前記内部空間内の前記演出装置側に窪むように前記第１下皿部と一体的に設けられた第２下皿部と、を有するものであり、
さらに、前記第２下皿部の上方を覆うカバー部が設けられ,
前記カバー部は、前記下皿における遊技媒体貯留領域の外側に形成されたカバー取付部に取り付けられる
ことを特徴とする。
また、本発明とは別に開示する別発明の手段を以下に示す。
手段１：遊技機において、
「所定の装飾を有している装飾体と、
該装飾体に対して第一位置と第二位置との間で相対的に移動可能なベース体と、
該ベース体において作用位置と非作用位置との間で移動可能に取付けられており、前記ベース体が前記第一位置の時に前記非作用位置から前記作用位置へ移動すると、第一作用を前記装飾体に及ぼし、前記ベース体が前記第二位置の時に前記非作用位置から前記作用位置へ移動すると、前記第一作用とは別の第二作用を前記装飾体に及ぼす作用体と
を具備している」ものであることを特徴とする。
【手続補正７】
【補正対象書類名】明細書
【補正対象項目名】００８２
【補正方法】変更
【補正の内容】
【００８２】
このように、本発明によれば、訴求力の高い遊技機を提供することができる。
【手続補正書】
【提出日】平成30年1月16日(2018.1.16)
【手続補正１】
【補正対象書類名】特許請求の範囲
【補正対象項目名】請求項４
【補正方法】変更
【補正の内容】
【請求項４】
前記人体検知部の電波の最大指向方向が、前記金属部の前記開口部を通るように前記
人体検知部を配置した、
ことを特徴とする請求項１〜請求項３の何れか１項に記載の便座装置。
【手続補正２】
【補正対象書類名】明細書
【補正対象項目名】００１４
【補正方法】変更
【補正の内容】
【００１４】
本発明の第４態様に係る便座装置では、第１〜３のいずれか１つの態様において、前記
人体検知部の電波の最大指向方向が、前記金属部の前記開口部を通るように前記人体検知部を配置したことを特徴とする。
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
巻線が巻回された第１筒状胴部と、第１段差部が形成された第１端子台と、第１端子を有する樹脂からなる第１ボビンと、
巻線が巻回された第２筒状胴部と、第２段差部が形成された第２端子台と、第２端子を有する樹脂からなる第２ボビンと、
前記第１筒状胴部と前記第２筒状胴部が互いに軸方向に並行に配された状態で、前記第１ボビンと前記第２ボビンを位置決めする樹脂からなるケースと、
前記第１筒状胴部と前記第２筒状胴部に脚部が挿入されてコモンモードの閉磁路を形成するコモンモードコアと、
ノーマルモードの磁路を形成するノーマルモードコアと、を備え、
前記ケースには、第１位置決め部と、第２位置決め部と、前記ノーマルモードコアを固定する保持部が設けられており、
前記第１位置決め部が前記第１段差部と位置決めされ、前記第２位置決め部が前記第２段差部と位置決めされ、前記ノーマルモードコアは、前記保持部に挿入されて固定されて前記コモンモードコアと閉磁路を形成していることを特徴とするラインフィルタ。
【請求項２】
前記保持部は、前記第１筒状胴部と前記第２筒状胴部の間に配された有底四角筒状部であり、
前記保持部の開口方向は、前記第１筒状胴部と前記第２筒状胴部の軸方向と直角方向に形成されていることを特徴とする請求項１に記載のラインフィルタ。
【請求項３】
前記保持部は、前記ノーマルモードコアの挿入方向において前記ノーマルモードコアが当接する当接部を有し、前記ノーマルモードコアが前記保持部に挿入されて前記当接部に当接すると、前記コモンモードコアと前記ノーマルモードコアの磁束を調整できることを特徴とする請求項２に記載のラインフィルタ。
【請求項４】
前記ノーマルモードコアの上端は、前記保持部の上端と同一の高さ以下に配されている、または、前記第１ボビンの前記第１筒状胴部と前記第２ボビンの前記第２筒状胴部の両側にそれぞれ設けられた鍔部の上端と同一の高さ以下に配されていることを特徴とする請求項３に記載のラインフィルタ。
【手続補正２】
【補正対象書類名】明細書
【補正対象項目名】０００９
【補正方法】変更
【補正の内容】
【０００９】
本発明のラインフィルタでは、さらなる好ましい特徴として、  「前記保持部は、前記第１筒状胴部と前記第２筒状胴部の間に配された有底四角筒状部であり、  前記保持部の開口方向は、前記第１筒状胴部と前記第２筒状胴部の軸方向と直角方向に形成されていること」、  「前記保持部は、前記ノーマルモードコアの挿入方向において前記ノーマルモードコアが当接する当接部を有し、前記ノーマルモードコアが前記保持部に挿入されて前記当接部に当接すると、前記コモンモードコアと前記ノーマルモードコアの磁束を調整できること」、  「前記ノーマルモードコアの上端は、前記保持部の上端と同一の高さ以下に配されている、または、前記第１ボビンの前記第１筒状胴部と前記第２ボビンの前記第２筒状胴部の両側にそれぞれ設けられた鍔部の上端と同一の高さ以下に配されていること」、を含むものである。